(57)【要約】【課題】組立時に端子板を折曲しても端子板の抜けを生じにくい電磁リレーを提供する。【解決手段】この電磁リレーＡは、コイルが巻装された鉄心２と、鉄心２の磁極面に吸引離反される接極子と、鉄心２が配設され、前記接極子の動作により可動する接点ばねの可動接点と接触開離する固定接点３を備えたボディ１と、第１の端子板１００とを備え、第１の端子板１００は、上面に固定接点３が溶接されると共に側壁１ａの下方側へ突出する突片１００ｂを有し固定接点３を側壁上面に露出させながら突片１００ｂと共に側壁上部に埋設される一端部と、前記一端部から側壁１ａの外部に突出した部分を折曲して形成され、側壁上部からボディの下面まで側壁の外側面に沿って配置される中間部と、端子部が形成されボディ１の下面から外部へ突出する他端部とを有するものとした。【選択図】　　　　図１
2004087295.tif 000002
【特許請求の範囲】
【請求項１】
側壁が立設されたボディと、前記ボディに配設されコイルが巻装された鉄心と、シーソー動自在に支持され前記コイルの励磁状態に応じて前記鉄心の磁極面に吸引離反される接極子と、前記接極子の動作により可動する接点ばねの可動接点と接触開離する固定接点を設けた一端部が前記固定接点を前記ボディの側壁上面に露出させるように前記側壁に埋設され、前記一端部から側壁の外部に突出した部分を側壁の外側面と当接するまで折曲して形成された中間部が前記側壁の上面から前記ボディの下面まで側壁の外側面に沿って配置され、端子部が形成された他端部がボディの下面から外部へ突出する端子板とを備え、前記端子板は、側壁に埋設される前記一端部に下方へ突出する突片を有することを特徴とする電磁リレー。
【請求項２】
前記突片を、前記側壁の長手方向に対して斜めを向いた前記一端部の部位に設けたことを特徴とする請求項１記載の電磁リレー。
【発明の詳細な説明】
【０００１】
【発明の属する技術分野】
本発明は、電磁リレーに関するものである。
【０００２】
【従来の技術】
従来の電磁リレーについて図４乃至図６を用いて説明する。この電磁リレーＸは、ボディブロックＸ１に、コイルブロックＸ２と、接極子ブロックＸ３と、永久磁石７とを組み付けて、合成樹脂製の下面開口の箱状ケース３０をボディブロックＸ１に被着することで構成される。
【０００３】
ボディブロックＸ１は、鉄心２と、固定接点３を一端部に設けた第１の端子板４と、接極子ブロックＸ３に設けたヒンジばね２３の一端が固着される接合面５ａを設けた第２の端子板５とをインサートして成形した合成樹脂成形品のボディ１より構成される。ボディ１には、対向する一対の側壁１ａ，１ａが一体に突出形成されている。
【０００４】
鉄心２は、磁性鉄板を略コ形に打ち抜き形成したもので、ボディ１の成形時にインサートされて、ボディ１の側壁１ａ，１ａと並行するようにボディ１に固着されると共に、両側の磁極片２ａ，２ｂをボディ１上に突出させている。この鉄心２のインサート位置は、ボディ１の短手方向の中心を通る線上で、且つ長手方向の中心点よりも片側に偏倚する位置となっており、一方の磁極片２ａはボディ１の一端縁側に寄り、他方の磁極片２ｂはボディ１の他端縁より離れるように中央側に寄っている。
【０００５】
そして、一方の磁極片２ａの内側部に沿ってボディ１上には、角筒部６を一体に突出形成してある。この角筒部６は中央に、下端部がインサートされている鉄心２の中央片２ｃの上面で且つ両側の磁極片２ａ，２ｂ間の中心位置よりも一方の磁極片２ａ側に偏倚している位置に至る断面四角の穴６ａを上下方向に設けている。
【０００６】
穴６ａには断面形状が略同一の角柱状の永久磁石７が上方から圧入或いは挿入により挿着される。永久磁石７は、上下端が異なる磁極に着磁されたもので、下端面の磁極面は鉄心２の中央片２ｃの上面に吸着され、上端の磁極面は角筒部６の上端面より上方に突出して鉄心２の磁極片２ａ，２ｂの磁極面と略同一の高さに位置する。
【０００７】
第１の端子板４は、一端部に固定接点３が溶接され、図５に示すように固定接点３をボディ１の側壁１ａの上面に露出させた状態で一端部が側壁１ａに略水平に埋設され、側壁１ａから直行するように突出した部分を図６に示すように側壁１ａの外側面と当接するまで折曲して、側壁１ａの外側面からボディ１の下面にかけて形成された溝部１ｂに第１の端子板４の中央付近に形成された段部４ａを嵌め込んで、側壁上部からボディの下面まで側壁の外側面に沿って配置される中間部を形成し、端子部８が形成された他端部がボディ１の下面から突出した状態に設けられる。
【０００８】
第２の端子板５は、一端部寄りの部位に接合面５ａが形成され、図５に示すように接合面５ａをボディ１の側壁１ａ上面の中央付近に露出させた状態で一端部が側壁１ａに埋設され、側壁１ａから直交するように突出した部分を図６に示すように側壁１ａの外側面と当接するまで折曲して、側壁１ａの外側面からボディ１の下面にかけて形成された溝部１ｃに第２の端子板５の中央付近に形成された段部５ｃを嵌め込んで、端子部５ｂが形成された他端部がボディ１の下面から突出した状態に設けられる。
【０００９】
また、鉄心２の磁極片２ｂ側のボディ１の端部には、側壁１ａ，１ａの端面に一端が至るように形成した低背の立壁１ｄを一体立設しており、この立壁１ｄの中央部には後述するコイルブロックＸ２のコイルボビン１０の鍔部１１の端部１１ａを嵌めるための切欠き部１ｅを形成してある。
【００１０】
コイルブロックＸ２は、図４に示すように、中央に磁極片２ｂの横断面と略同じで磁極片２ｂを貫挿させるための中心透孔１０ａを形成した前記コイルボビン１０と、コイルボビン１０の両端の鍔部１１，１２の間の胴部に巻装したコイル１３とで構成されるもので、下側の鍔部１１の前記端部１１ａ寄りの両側面にはコイル１３が接続されているコイル端子１４，１４を突出している。このコイル端子１４，１４は逆Ｌ字状に折り曲げられて下方に延びている。また、鍔部１１の両側面には、コイルブロックＸ２に被着する絶縁ケース１７を固定するための係止突起１５を一体に突出形成してある。
【００１１】
更に、上側の鍔部１２の中心透孔１０ａの開口は、後述する接極子ブロックＸ３の接極子２０の端部が臨む部位以外の三方がリブ１６によって囲まれている。このリブ１６は、中心透孔１０ａの開口から上方に向けて突出する磁極片２ｂの先端位置よりも高くなるように形成してある。
【００１２】
絶縁ケース１７は、合成樹脂成形品からなり、下面開口の箱状で、天井面にコイルボビン１０の中心透孔１０ａから突出する磁極片２ｂの先端部及びリブ１６を外部に突出させる開口窓１７ａを設け、対向する一対の両側壁の下端縁に、コイルブロックＸ２に被着する際に、コイルボビン１０の鍔部１１の両側面に形成した係止突起１５のテーパー面に下端が乗り上げて内側から係止突起１５を係止する係止孔１８ａを設けた弾性突片１８を一体突設しており、これら係止突起１５と係止孔１８ａにより絶縁ケース１７はワンタッチでコイルブロックＸ２に被着固定できるようになっている。
【００１３】
接極子ブロックＸ３は、磁性体からなる接極子２０と、接極子２０の中央部をインサートして接極子２０の中心位置よりも一端側に偏倚した位置において接極子２０の両側方向に腕体２１ａ，２１ａを突出させた略Ｔ形の合成樹脂成形体２１と、合成樹脂成形体２１の各腕体２１ａ，２１ａにインサートされ、接極子２０の中央側に向いた各腕体２１ａの面より前方へ突出した接点ばね２２，２２と、各接点ばね２２，２２の後瑞より延長され、接点ばね２２の突出する面と反対側の腕体２１ａの面より後方へ突出した略コ形のヒンジばね２３，２３とから構成される。
【００１４】
ヒンジばね２３は、腕体２１ａより突出せる一方の側片の長さを、合成樹脂成形体２１よりもやや短くし、中央片より折り返して接極子２０に並行する他方の側片の長さを、その先端が接極子２０の長手方向の中心に略対応する長さとしている。
【００１５】
各接点ばね２２の先部は二股に分かれ、夫々の下面に可動接点を設けている。
【００１６】
接極子２０は鉄心２上方に配置した時に接極子２０の両端部下面を磁極片２ａ，２ｂの磁極面に対向させることができるように長手方向の寸法を鉄心２の長手方向の寸法よりやや長く形成し、また磁極片２ａ，２ｂ間に装着される永久磁石７の上端面に対向する、中心位置よりも偏倚した下面位置に突起（図示せず）を突出形成しており、この突起が永久磁石７の上端面にシーソー動自在に載置され、シーソー動作の支点を構成する。
【００１７】
以上のように構成されたコイルブロックＸ２、接極子ブロックＸ３は、コイルブロックＸ２、接極子ブロックＸ３の順番でボディブロックＸ１へ組み付けられる。
【００１８】
コイルブロックＸ２は、コイルボビン１０の中心透孔１０ａの下面開口より磁極片２ｂの先端を挿入すると同時にコイル端子１４，１４の先端を側壁１ａ，１ａの端部近傍のボディ１の両側上面に開口しているコイル端子孔１ｆに上方から貫挿させてコイルボビン１０の鍔部１１をボディ１上に載置すると共に鍔部１１の端部１１ａを立壁１ｄの切欠き部１ｅに嵌め込む。この時端部１１ａの端面は、立壁１ｄの外面と略同一面となる。
【００１９】
接極子ブロックＸ３は、接極子２０の下面に設けた前記突起を永久磁石７の上端面上に載置すると共に、両側のヒンジばね２３，２３の外側側片の先端部を、ボディブロックＸ１の側壁１ａ，１ａの略中央上面に露出している第２の端子板５の接合面５ａに対して溶接により固着する。
【００２０】
これによって両側の接点ばね２２，２２の先端下面の可動接点が夫々固定接点３，３に対向配置され、又接極子２０の両端部下面が鉄心２の磁極片２ａ，２ｂの磁極面に対向配置される。
【００２１】
このようにしてボディブロックＸ１に、コイルブロックＸ２と接極子ブロックＸ３とを組み付けた後に、合成樹脂製の下面開口の箱状ケース３０がボディブロックＸ１に被着される。
【００２２】
上記のように構成された電磁リレーＸは、通常時にはヒンジばね２３，２３のばね付勢力と永久磁石７の磁力とで接極子２０の支点位置に近い方の端部が磁極片２ａの磁極面に吸着保持され、接点ばね２２，２２の可動接点は、固定接点３，３より開離した状態にある。この場合、永久磁石７、接極子２０、磁極片２ａを含む鉄心２で閉磁路が構成されて接極子２０の動作状態が保持される。
【００２３】
この状態で、鉄心２の磁極片２ａ側で永久磁石７の磁力を打ち消す方向となり且つヒンジばね２３のばね負荷よりも大きな吸引力が永久磁石７の磁力と合わさって磁極片２ｂ側に発生するように、コイル端子１４，１４を介してコイル１３に励磁電流を流すと、接極子２０は下面に設けた前記突起を支点としてシーソー動作を行い、接極子２０の接点ばね２２，２２側の端部が磁極片２ｂの磁極面に吸着される。この時、接点ばね２２，２２は先端の可動接点を固定接点３，３に弾接させて、第１の端子板４の端子部８と第２の端子板５の端子部５ｂ間をオンさせる。この状態は、励磁電流を流し続けることで保持される。
【００２４】
そして、励磁電流をオフさせるとヒンジばね２３，２３及び接点ばね２２，２２の復帰力が永久磁石７による磁極片２ｂ側での吸引力よりも大きいため、接極子２０は前記突起を支点として再びシーソー動作を行い、更に磁極片２ａ側に発生する永久磁石７の磁力による吸引力も加わり上述の通常状態に戻ることとなる。
【００２５】
【発明が解決しようとする課題】
しかしながら、従来例において、図５に示したように第１の端子板４の一端部が側壁１ａに略水平に埋設された状態で、側壁１ａから突出した部分を側壁１ａの外側面と当接するまで、図５中の矢印ｘ１の方向へ折り曲げる際に、埋設された第１の端子板４の一端部には、図７（ａ），（ｂ）中の矢印ｘ２方向の力が加わり、第１の端子板４を埋設している成形部が弱いと第１の端子板４がボディ１から抜けてしまうという問題があった。
【００２６】
本発明は上記問題点に鑑みて為されたものであって、その目的とするところは、ボディに埋設された端子板に横方向の力が加わっても端子板の抜けが生じにくい電磁リレーを提供することにある。
【００２７】
【課題を解決するための手段】
上記目的を達成するために、請求項１の発明は、側壁が立設されたボディと、前記ボディに配設されコイルが巻装された鉄心と、シーソー動自在に支持され前記コイルの励磁状態に応じて前記鉄心の磁極面に吸引離反される接極子と、前記接極子の動作により可動する接点ばねの可動接点と接触開離する固定接点を設けた一端部が前記固定接点を前記ボディの側壁上面に露出させるように前記側壁に埋設され、前記一端部から側壁の外部に突出した部分を側壁の外側面と当接するまで折曲して形成された中間部が前記側壁の上面から前記ボディの下面まで側壁の外側面に沿って配置され、端子部が形成された他端部がボディの下面から外部へ突出する端子板とを備え、前記端子板は、側壁に埋設される前記一端部に下方へ突出する突片を有するものとした。
【００２８】
請求項２の発明は、請求項１記載の発明において、前記突片を、前記側壁の長手方向に対して斜めを向いた前記一端部の部位に設けたものとした。
【００２９】
【発明の実施の形態】
以下、本発明を実施形態１から実施形態２によって説明する。
（実施形態１）
本実施形態における基本構成は従来例と共通するために共通する部分に付いては同一の符号を付して説明を省略し、本実施形態の特徴となる部分についてのみ詳細に説明する。
【００３０】
本実施形態の電磁リレーＡは、図４の従来例と比較して、第１の端子板４に代えて、図１に示す第１の端子板１００を用いた点に特徴がある。
【００３１】
第１の端子板１００は、一端部の上面に固定接点３が溶接され、側壁１ａの長手方向と並行する一端部の辺１００ａに延設片１００ｂ’（図１は延設片１００ｂ’を折曲した後の状態を示す）を設け、延設片１００ｂ’を下方へ折り曲げて、側壁１ａの下方側へ突出する突片１００ｂを形成し、固定接点３をボディ１の側壁１ａの上面に露出させた状態で突片１００ｂと共に一端部が側壁１ａに埋設される。
【００３２】
側壁１ａから直行するように突出した部分は、図５，図６に示した従来例と同様に、側壁１ａの外側面と当接するまで折曲され、側壁１ａの外側面からボディ１の下面にかけて形成された溝部１ｂに第１の端子板１００の中央付近に形成された段部（図示せず。従来例の段部４ａに相当）を嵌め込んで、側壁１ａ上部からボディ１の下面まで側壁１ａの外側面に沿って配置される中間部を形成し、端子部８が形成された他端部がボディ１の下面から突出した状態に設けられる。
【００３３】
上記のように突片１００ｂを設けた第１の端子板１００においては、上述したように端子板１００を折曲する際に横方向（図１中の矢印ｘ３方向）に力が加わっても、矢印ｘ３方向と直交する方向へ突片１００ｂが埋設されているため、端子板１００の抜けが生じにくくなる。
【００３４】
（実施形態２）
本実施形態における基本構成は実施形態１と共通するために共通する部分については同一の符号を付して説明を省略し、本実施形態の特徴となる部分についてのみ詳細に説明する。
【００３５】
実施形態１では、第１の端子板１００の側壁１ａ上面に埋設される一端部のうち、側壁１ａの長手方向と並行する辺１００ａに延設片１００ｂ’を設け、延設片１００ｂ’を側壁１ａの下方側へ折り曲げて突片１００ｂを形成したが、本実施形態の電磁リレーＢの第１の端子板２００では、図２及び図３に示すように、側壁１ａの上面に埋設される一端部の、側壁１ａの長手方向に対して斜めを向いた辺２００ａに延設片２００ｂ’　（図２及び図３は延設片２００ｂ’を折曲した後の状態を示す）を設け、延設片２００ｂ’を下方へ折り曲げて、側壁１ａの下方側へ突出する突片２００ｂを形成した点に特徴がある。
【００３６】
第１の端子板２００は、実施形態１と同様に、一端部が固定接点３をボディ１の側壁１ａの上面に露出させた状態で突片２００ｂと共に側壁１ａに埋設され、側壁１ａから直行するように突出した部分は、側壁１ａの外側面と当接するまで折曲され、側壁１ａの外側面からボディ１の下面にかけて形成された溝部１ｂに第１の端子板２００の中央付近に形成された段部２００ｃを嵌め込んで、側壁１ａ上部からボディ１の下面まで側壁の外側面に沿って配置される中間部を形成し、端子部８が形成された他端部がボディ１の下面から突出した状態に設けられる。
【００３７】
第１の端子板２００の一端に溶接された固定接点３は、その溶接強度を調べるために、図２の矢印ｘ４の方向に押圧して溶接強度が確かめられる。この時、実施形態１のように、側壁１ａと並行する辺１００ａに延設辺１００ａ’を設けると、図１（ｂ）中のｙで示した部分のように、端子幅が細い部分ができてしまい、固定接点３を矢印ｘ４方向に押圧した際に、端子幅の細い部分ｙが変形する可能性がある。
【００３８】
そこで、側壁１ａの長手方向に対して斜めを向いた辺２００ａに延設片２００ｂ’を設け、延設片２００ｂ’を側壁１ａの下方側へ折り曲げて突片２００ｂを形成することで、図２に示したように端子幅の細い部分を作ることなく、折曲する際に図２中の矢印ｘ５方向に力が加わっても抜けが生じにくい、端子板２００を形成することができる。
【００３９】
【発明の効果】
請求項１の発明は、側壁が立設されたボディと、前記ボディに配設されコイルが巻装された鉄心と、シーソー動自在に支持され前記コイルの励磁状態に応じて前記鉄心の磁極面に吸引離反される接極子と、前記接極子の動作により可動する接点ばねの可動接点と接触開離する固定接点を設けた一端部が前記固定接点を前記ボディの側壁上面に露出させるように前記側壁に埋設され、前記一端部から側壁の外部に突出した部分を側壁の外側面と当接するまで折曲して形成された中間部が前記側壁の上面から前記ボディの下面まで側壁の外側面に沿って配置され、端子部が形成された他端部がボディの下面から外部へ突出する端子板とを備え、前記端子板は、側壁に埋設される前記一端部に下方へ突出する突片を有するので、ボディに埋設された端子板に横方向の力が加わっても、側壁に埋設された前記一端部が前記横方向の力と直交する方向へ突出する突片を有するので、端子板の抜けが生じにくいという効果がある。
【００４０】
請求項２の発明は、請求項１記載の発明において、前記突片を、前記側壁の長手方向に対して斜めを向いた前記一端部の部位に設けたので、前記端子板の幅を細くすることなく前記突片を設けることができ、端子板の強度を保ったままで、端子板の抜けを生じにくくできるという効果がある。
【図面の簡単な説明】
【図１】（ａ）実施形態１の電磁リレーで端子板を埋設した状態を示す上面図である。
（ｂ）同上の側面断面図である。
【図２】（ａ）実施形態２の電磁リレーで端子板を埋設した状態を示す上面図である。
（ｂ）同上の側面断面図である。
【図３】同上の端子板の斜視図である。
【図４】従来の電磁リレーの分解斜視図である。
【図５】同上で端子板をボディブロックに埋設した状態を示す斜視図である。
【図６】同上で端子板を折曲した状態を示す斜視図である。
【図７】（ａ）同上で端子板をボディブロックに埋設した状態を示す上面図である。
（ｂ）同上の側面断面図である。
【符号の説明】
１　ボディ
１ａ　側壁
２　鉄心
２ａ，２ｂ　磁極片
３　固定接点
５　第２の端子板
７　永久磁石
８　端子部
１０　コイルボビン
１３　コイル
２０　接極子
２２　接点ばね
２３　ヒンジばね
３０　ケース
１００，２００　第１の端子板
【図１】
2004087295.tif 000003
【図２】
2004087295.tif 000004
【図３】
2004087295.tif 000005
【図４】
2004087295.tif 000006
【図５】
2004087295.tif 000007
【図６】
2004087295.tif 000008
【図７】
2004087295.tif 000009